(57)【特許請求の範囲】
【請求項１】
複数の弦の振動を電気信号に変換するためのピックアップにおいて、
前記複数の弦における各弦の振動を検出するための複数のコイルと、
前記複数のコイルのうち、１以上のコイルを固定的に設置した複数の可動部材と、
前記可動部材を動かして、当該可動部材上のコイルと他の可動部材上のコイルとの間隔を調整可能にする調整機構とを有することを特徴とするピックアップ。
【発明の詳細な説明】
【０００１】
【発明の属する技術分野】
本発明は、複数の弦（例えば、４弦、５弦又は６弦）が張られた電気ベースギターなどに使用するピックアップに関する。
【０００２】
【従来の技術】
近時の電気ベースギターなどには、異なる弦数（例えば、４弦、５弦又は６弦）とともに、異なる弦間隔（１６ｍｍ，１７ｍｍ，１８ｍｍ，１９ｍｍ）のものがある。複数の弦それぞれの演奏による振動を検出するピックアップは、一本の弦の振動を検出するコイルを、複数の弦それぞれに対応するように、電気ベースギターなどの部材上に一つずつ接着剤などで固定した構成である。
【０００３】
この構成では、電気ベースギターの弦間隔及び弦の数に適切に対応して配置できるが、複数のコイルそれぞれを接着剤などで固定していく必要あるため、その作業が面倒であった。
【０００４】
この作業の面倒さに対する改善例がある（例えば、特許２９５５９２４号「ピックアップ装置」公報例）。この例では、取り付け対象の電気ベースギターの弦間隔が異なるごと、及び、その弦の数に対応するように、一つの基材上に複数のコイルが予め配置されており、この基材を電気ベースギターの部材上に接着剤などで固定している。これによって、弦間隔が異なるごと、及び、その弦の数に対応する異なったそれぞれの電気ベースギターなどに対応したピックアップを配置できるようになっている。
【０００５】
【発明が解決しようとする課題】
しかしながら、上記従来例のピックアップでは、弦間隔及び弦の数が異なるそれぞれ電気ベースギターなどに対応するピックアップを配置できるものの、弦間隔が異なり、かつ、その弦の数が異なるごとに種類が異なるピックアップを予め用意しなければならないという不都合があった。
【０００６】
例えば、弦間隔１６ｍｍ，１７ｍｍ，１８ｍｍ，１９ｍｍにおける一つずつの弦間隔に対する４弦、５弦、６弦用の３種類（合計12種類）の数多いピックアップが必要になる。
【０００７】
本発明は、上記事情に鑑み、１種類で、弦間隔が異なり、かつ、弦の数が異なるそれぞれの電気ベースギターなどに対応できるピックアップの提供を目的とする。
【０００８】
【課題を解決するための手段】
上記目的を達成する本発明のピックアップは、配列された、弦振動を検出する複数のコイルと、該複数のコイルの配列間隔を調整する調整機構とを備え、複数の弦それぞれの振動を検出することを特徴としている。
【０００９】
本発明のピックアップによれば、複数のコイルの配列間隔を調整する調整機構によって、
複数のコイルを、異なる弦間隔（例えば、１６ｍｍ，１７ｍｍ，１８ｍｍ，１９ｍｍ）に対して適切に配置できるようになる。
【００１０】
さらに、上記目的を達成する本発明のピックアップは、好適な形態として、前記複数のコイルを覆う不透明のカバーを備えることを特徴としている。
【００１１】
この好適な形態では、複数のコイルの全部が不透明のカバーで覆われるため、弦に対向しない未使用のコイルが目視されなくなって、見た目上での違和感が生じなくなる。例えば、最大弦数〈例えば、６弦〉に対応するためのコイルが配置されるため、この弦数以下（例えば、４弦）の電気ベースギターなどに配置すると、二つの弦に対するコイルが未使用となるが、その見た目上の違和感が生じるのを避けることが出来るようになる。
【００１２】
さらに、本発明のピックアップは、好適な形態として、前記調整機構により調整されるコイルの配列間隔を示す位置確認用マークを有することを特徴としている。
この好適な形態では、位置確認用マークを異なる弦数における所定の弦位置に合わせることによって、カバーで覆われた目視できない状態のコイルを複数の弦それぞれに対応して配置（固定）できるようになる。
【００１３】
【発明の実施の形態】
以下、本発明の実施形態について説明する。
【００１４】
図１は本発明のピックアップの外観構成を示す斜視図であり、図２は本発明のピックアップの内部構成を示す斜視図である。
【００１５】
図１において、このピックアップの外観構成では、カバー１と、このカバー１で覆われる基体部２を有している。
【００１６】
カバー１は、ここでのピックアップを最大、６弦の電気ベースギターに使用できように、６個のコイルを備えているので、例えば、４弦の電気ベースギターに使用する場合、２個のコイルが使用されないことになり、その違和感が生じないようにするものであり、その材質は不透明な樹脂である。
【００１７】
カバー１の一方側には、図における下端部に、カバー１の部材が延在（突出）した突起部１ａ，１ｂ，１ｃ，１ｄ，１ｅが設けられている。このカバーの他方側にも、必要に応じて、突起部１ａ〜１ｅと同様の図示しない突起が設けられる。この突起部１ａ〜１ｅは、突起部１ａ〜１ｅを基体部２の側面に嵌め込むことによって、基体部２に対する位置決を行うためのものである。また、基体部２には、その両端部に電気ベースギターの部材などに螺子などで固定するための貫通孔２ａ，２ｂが形成されている。
【００１８】
また、カバー１には、この例では１６ｍｍ，１７ｍｍ，１８ｍｍ，１９ｍｍの弦間隔に合わせるための位置確認用マークＭａ，Ｍｂ（以降で詳細に説明）を確認するための長孔（切り欠き部）を有した位置確認部３，４が設けられている。さらに、以降で詳細に説明するコイルの配列間隔を調整する調整機構６，７における固定用螺子６ａ，７ａが部材面から突出して配置されている。
【００１９】
図２において、基体部２上面には、平板状の可動部材１０及び１１が配置され、かつ、この可動部材１０及び１１上に配置された配線基板にヨークを備えたコイル２０，２１，２２及び２５，２６，２７が取り付けられている。この配線基板にコイル２０〜２２，２５〜２７が電気的に接続されている。この可動部材１０及び１１は、その長手方向の両端部が基体部２の内側に形成された溝を自在に移動する構造であり、基体部２の部材上を、長手方向に移動し、弦間隔１６ｍｍ〜１９ｍｍそれぞれに適合する位置で固定されるようになっている。
【００２０】
図３は調整機構６及び位置確認部３の外観構成を示す側面図である。また、図４は図２中のＡ−Ａ線にかかる切断要部構成を示す断面図であり、図５は図２中のＢ−Ｂ線にかかる調整機構６の切断要部構成を示す断面図である。
【００２１】
図２及び図３において、このピックアップは、調整機構６，７における固定用螺子６ａ，７ａを動かして可動部材１０及び１１の位置を変更し、位置確認部３，４の位置確認用マークＭａ，Ｍｂで前記した１６ｍｍ〜１９ｍｍいずれかの弦間隔に合わせる。そして、調整機構６，７における固定用螺子６ａ，７ａを締めつけることによって、可動部材１０及び１１が、基体部２に対して固定される構造になっている。
【００２２】
位置確認用マークＭａ，Ｍｂは、外部から確認し易いように基体部２の部材から突出する円柱状の突起部を樹脂成形による作成時に基体部２と一体的に形成され、さらに、この円柱状の突起部の先端部には、外部から目視し易いようにペイントなどが塗布されている。なお、基体部２の部材にペイントやシールなどで形成しても良い。
【００２３】
コイル２０〜２２，２５〜２７は、配線基板と電気的接続されており、この配線基板のパターンなどにコード３０のリード線それぞれが接続されている。この図示しないコード３０の端がコネクタをもって外部装置に接続される。
【００２４】
図５に示す調整機構６（調整機構７も同じ構造）は、可動部材１０に凹部３２が形成されており、この凹部３２に可動部材１０をカバー１及び可動部材１０に対して固定状態に締め付けるための、逆Ｌ字状の金具３３が配置されている。この金具３３の垂直部材には螺子孔３４が形成されている。この螺子孔３４には、カバー１の貫通孔３５に挿通された固定用螺子６ａが螺子止めされる。固定用螺子６ａを締め付けることによって、可動部材１０が矢印Ｒ方向に移動し、可動部材１０が基体部２及びカバー１の内側に対して固定状態となる。なお、可動部材１０の図における左右端部には、この可動部材１０が矢印Ｒ方向に移動して基体部２に当接させるための隙間３５ａ，３５ｂが形成されている。
【００２５】
以下、上記した構造におけるコイル２０〜２２，２５〜２７と弦の配置への整合調整について説明する。
【００２６】
図６は、６弦電気ベースギターにおいて、相違する間隔の弦へのコイルの位置合わせ・取り付けを説明するための模式図であり、図６（ａ）は弦間隔１６ｍｍにおけるコイルの位置調整状態を示す側面模式図である。また、図６（ｂ）は弦間隔１９ｍｍへのコイルの位置調整状態を示す側面模式図である。
【００２７】
この例では、図１から図５の構成によるピックアップＰを、電気ベースギターに固定する前に、取り付け対象の電気ベースギターにおける弦間隔１６ｍｍ〜１９ｍｍのいずれかに整合（図３参照）させる位置調整を行う。図６（ａ）の例では、間隔１６ｍｍの６弦に対して位置合わせを行う。この場合、調整機構６，７の固定用螺子６ａ，７ａをカバー１の長手方向で移動させて位置確認部３，４それぞれの位置確認用マークＭａ，Ｍｂを、図３に示すように１６ｍｍに合わせ、固定用螺子６ａ，７ａを締め付けて固定する。これによって、コイル２０〜２２，２５〜２７が６弦Ｇ１〜６弦Ｇ６それぞれの振動を検出可能な位置に配置される。
【００２８】
図６（ｂ）の例では、間隔１９ｍｍの６弦に対して位置合わせを行う。この場合、調整機構６，７の固定用螺子６ａ，７ａをカバー１の長手方向で移動させて位置確認部３，４それぞれの位置確認用マークＭａ，Ｍｂを、図３に示すように１９ｍｍの表示位置に合わせ、固定用螺子６ａ，７ａを締め付けて固定する。
【００２９】
このようにして調整したピックアップＰの位置確認用マークＭａ，Ｍｂがそれぞれ電気ベースギターの第２弦及び第５弦の真下にくる位置に配置し、ピックアップＰを電気ベースギターに固定する。このことにより、それぞれのコイルが、各弦の振動を検出する位置に配置される。
【００３０】
次に、４弦電気ベースギター、５弦電気ベースギターにおいて、上記のようにして弦間隔を調整したピックアップＰの電気ベースギターへの配置について説明する。
【００３１】
図７は４弦電気ベースギターへのピックアップＰ（コイル）の位置合わせによる取り付け（固定）を説明するための模式図であり、図７（ａ）は４弦とピックアップＰの配置状態を示す上面模式図である。また、図７（ｂ）は４弦とピックアップＰの配置状態を示す側面模式図である。
【００３２】
この４弦へのピックアップＰ（コイル）の位置合わせによる取り付けでは、ピックアップＰの位置確認用マークＭａ，Ｍｂそれぞれを第１弦（４Ｇ１；４弦電気ベースギターの第１弦を意味する、以下同様）、第４弦（４Ｇ４）の真下にくる位置に配置して、ピックアップＰ全体を電気ベースギターの部材に固定する。この固定は、例えば、接着テープを用いて固定したり、タッピングビスなどで固定する。
【００３３】
図８は５弦電気ベースギターへのピックアップＰ（コイル）の位置合わせによる取り付けを説明するための模式図であり、図８（ａ）は５弦とピックアップＰの配置状態を示す上面模式図である。また、図８（ｂ）は５弦とピックアップＰの配置状態を示す側面模式図である。
【００３４】
この５弦電気ベースギターへのピックアップＰ（コイル）の位置合わせによる取り付けでは、ピックアップＰの位置確認用マークＭａ，Ｍｂそれぞれを第１弦（５Ｇ１；５弦電気ベースギターの第１弦を意味する、以下、同様）、第４弦（５Ｇ４）の真下にくる位置に配置して、ピックアップＰ全体を電気ベースギターの部材に固定する。この固定は、４弦電気ベースギターの場合と同様に接着テープやタッピングビスなどで固定する。
【００３５】
図９は、図６を用いて説明した６弦電気ベースギターにおける取り付け方法の上面模式図（ａ）及び側面模式図（ｂ）である。
【００３６】
なお、上記説明では、ピックアップＰを電気ベースギターに取り付ける際、位置確認用マークＭａ，Ｍｂがいずれかの弦の真下にくる位置に配置するように説明したが、図１に示すようにカバー１の中央に目印をつけ、偶数弦であれば、その中央に、この目印がくる位置にピックアップＰを配置するようにしても良い。
【００３７】
なお、この実施形態では、部品点数を減らすために、最も少ない二つの可動部材１０及び１１上に、コイル２０，２１，２２及び２５，２６，２７の６個を二分割して配置した例をもって説明したが、他の分割配置とすることも出来る。例えば、可動部材を３以上に分割し、それぞれの可動部材に、複数のコイルを３分割以上して配置しても良い。この構成における位置確認部及び調整機構は、前記した位置確認部３，４及び調整機構６，７と同様の構造を用いれば良い。
【００３８】
【発明の効果】
以上、説明したように、本発明によれば、１種類で、弦間隔が異なり、かつ、弦の数が異なるそれぞれの電気ベースギターなどに対応できるようになるという効果がある。
【図面の簡単な説明】
【図１】本発明のピックアップの外観構成を示す斜視図である。
【図２】本発明のピックアップの内部構成を示す斜視図である。
【図３】実施形態における調整機構及び位置確認部の要部外観構成を示す側面図である。
【図４】図２中のＡ−Ａ線にかかる切断要部構成を示す断面図である。
【図５】図２中の調整機構の−Ｂ線にかかる切断要部構成を示す断面図である。
【図６】実施形態にあって相違するに種類の間隔の弦へのコイルの位置合わせ・取り付けを説明するための模式図である。
【図７】実施形態にあって４弦へのピックアップの位置合わせによる取り付けを説明するための模式図である。
【図８】実施形態にあって５弦へのピックアップの位置合わせによる取り付けを説明するための模式図である。
【図９】実施形態にあって６弦へのピックアップの位置合わせによる取り付けを説明するための模式図である。
【符号の説明】
１  カバー
２  基体部
３，４  位置確認部
６，７  調整機構
６ａ，７ａ  固定用螺子
１０，１１  可動部材
２０〜２２，２５〜２７  コイル
Ｍａ，Ｍｂ  位置確認用マーク
【図１】
0003892726.tif 000002
【図２】
0003892726.tif 000003
【図３】
0003892726.tif 000004
【図４】
0003892726.tif 000005
【図５】
0003892726.tif 000006
【図６】
0003892726.tif 000007
【図７】
0003892726.tif 000008
【図８】
0003892726.tif 000009
【図９】
0003892726.tif 000010